(57)【要約】【課題】  他の光学特性を劣化させることなしに、スキュー調整が可能な光走査装置およびそれを用いた画像形成装置を提供すること。【解決手段】  レーザを光源とし、前記光源より発生する光を偏向走査する回転多面鏡と、前記回転多面鏡により偏向走査された光を感光体上の所定の位置に結像させる結像レンズと、を有する光走査装置において、前記結像レンズに、印刷用紙端と印刷行との平行度の調整を行う調整手段を設けた。【選択図】図２
2009216738.tif 000002
【特許請求の範囲】
【請求項１】
レーザを光源とし、
前記光源より発生する光を偏向走査する回転多面鏡と、
前記回転多面鏡により偏向走査された光を感光体上の所定の位置に結像させる結像レンズと、を有する光走査装置において、
前記結像レンズに、印刷用紙端と印刷行との平行度の調整を行うための調整手段を設けたことを特徴とする光走査装置。
【請求項２】
前記結像レンズは、光軸方向を中心に回動可能であることを特徴とする請求項１記載の光走査装置。
【請求項３】
前記結像レンズは、前記平行度に対して調整感度を有するレンズと一体となっており、且つ光軸方向を中心に回動可能であることを特徴とする請求項１記載の光走査装置。
【請求項４】
請求項１ないし３記載のいずれか１項に記載の光走査装置を用いた画像形成装置。
【発明の詳細な説明】
【技術分野】
【０００１】
本発明は、例えばレーザビームプリンタ等の電子写真方式による画像形成装置の光走査装置に関するものである。
【背景技術】
【０００２】
従来の光走査装置を図３を用いて説明する。図３において光走査装置は、光源となるレーザ１と、レーザ１より発振されたレーザビームを所定のビーム径に成形するレンズ群２と、感光体３上にレーザビームを走査する回転多面鏡４と、走査された光を、感光体３上の所定の位置に結像させるＦθレンズ５と、光走査装置７（以下、光学ユニットと称す）の実装位置、或いは実装スペースに応じて光路を折り曲げる長尺ミラー６により構成されている。
【０００３】
このような光学ユニット７は、一般的に感光体３を支持する筐体（図示せず）の周囲に配置されているが、取り付け位置精度により、感光体３上に形成される走査線の傾きが変化してしまうため、この傾きを調整するための手段を有している。調整手段としては、例えば、光学ユニット７の一端を回転中心に他端を回転させる方法や、長尺ミラー６の取り付け位置を調整する方法などが挙げられる。
【０００４】
しかしながら、印刷用紙と印刷行との平行度（以下、スキューと称す）調整のために、筐体に対して光学ユニット７などの取り付け位置を、回転或いは上下動させた場合、スキューを目標仕様に合わせ込むことは可能であるが、それに伴い感光体に至る光路長も変化してしまう。そのため、感光体上のレーザビーム径や倍率誤差の変化が発生し、結果、印刷品質を劣化させる要因となってしまう。
【０００５】
【特許文献１】特開平８−９４９１２号公報
【発明の開示】
【発明が解決しようとする課題】
【０００６】
本発明の目的は、他の光学特性を劣化させることなしにスキューの調整が可能な電子写真式印刷装置の光走査装置を提供することにある。
【課題を解決するための手段】
【０００７】
レーザを光源とし、前記光源より発生する光を偏向走査する回転多面鏡と、前記回転多面鏡により偏向走査された光を感光体上の所定の位置に結像させる結像レンズと、を有する光走査装置において、前記結像レンズに、印刷用紙端と印刷行との平行度の調整を行うための調整手段を設けたことを特徴とする。
【発明の効果】
【０００８】
本発明によれば、他の光学特性を劣化させることなしに、スキュー調整が可能な光走査装置およびそれを用いた画像形成装置を提供することができる。
【発明を実施するための最良の形態】
【０００９】
本発明における実施例を、以下図面を用いて説明する。図１は、本発明の光走査装置の構成例を示す上面図と側面図であり、光源となるレーザ１と、レーザ１より発振されたレーザビームを所定のビーム径に成形するレンズ群２と、感光体３上にレーザビームを走査する回転多面鏡４と、走査された光を、感光体３上の所定の位置に結像させるＦθレンズ５と、長尺ミラー６により構成されており、例えば、光学ユニット７は、感光体３を支持する筐体８上に固定されている。
【００１０】
図１では、Ｆθレンズ５が４枚組構成とした例について以下説明する。なお、Ｆθレンズ５は、回転多面境４に近い順に、Ｆθレンズ５１、５２、５３、５４と便宜的に定義する。ここで、例えばスキュー特性に対して、Ｆθレンズ５３とＦθレンズ５４が調整感度を有す場合、Ｆθレンズ５３とＦθレンズ５４が、Ｆθレンズサブホルダ９に固定され、更にＦθレンズサブホルダ９は、Ｆθレンズ５１とＦθレンズ５２が固定されたＦθレンズホルダ１０上に取り付けられる。Ｆθレンズ５の固定手段は、レンズの組付強度が確保されれば、その方法は問わない。Ｆθレンズホルダ１０は、光学ユニット７上に取り付けられ、光軸方向に対して移動可能な構成となっている。Ｆθレンズホルダ１０は、目標とするレーザビーム径や画幅を調整した後に、光学ユニット７に固定される。
【００１１】
図２は本発明のレンズホルダの概略構成図であり、ここではＦθレンズ５を光軸方向より見た側面図を示している。Ｆθレンズサブホルダ９は、Ｆθレンズホルダ１０に対して、一端は回転ヒンジ１１などにより回転以外は拘束された状態となっており、また、他端は回転ヒンジ１１を中心に回動可能な調整手段を有している。調整手段は、例えば、アジャストスクリュウ１２と圧縮コイルバネ１３等により構成され、アジャストスクリュウ１２を回転させることにより、Ｆθレンズサブホルダ９が回動する。スキュー調整後、Ｆθレンズサブホルダ９は、Ｆθレンズホルダ１０にネジ１４により固定されることで位置決めされる。
【００１２】
図４は画像形成装置の概略構成図である。図４に示すように、画像形成装置１５の感光体３は矢印Ａ方向に回転駆動され、帯電器１６により所定電圧に均一に帯電される。上位装置（図示せず）から送信された画像情報に基づいて光学ユニット７からレーザビームが照射され、レーザビームを受けた感光体３には静電潜像が形成される。この静電潜像は現像器１７で顕像化され、トナー像となる。感光体３上に形成されたトナー像は、転写器１８により連続紙からなる印刷用紙１９上に転写される。その後、感光体３の表面は、除電器２０により表面の電荷が除去され、清掃機２１により感光体３の表面に残留した残留トナーが除去され、再度、帯電、露光、現像と工程が繰り返し行われる。トナー像が転写された印刷用紙１９は前方に搬送され、プレヒータ２２を経て加熱ローラ２３と加圧ローラ２４により加熱、加圧作用を受けながら挟時搬送され、トナー像は印刷用紙１９に定着される。定着された印刷用紙１９はテンションローラ２５を通り、印刷用紙受けであるスタッカ２６へ順次排出される。
【図面の簡単な説明】
【００１３】
【図１】本発明の光走査装置の概略構成を示す上面図と側面図である。
【図２】本発明のレンズホルダの概略構成図である。
【図３】従来の光走査装置の概略構成図である。
【図４】画像形成装置の概略構成図である。
【符号の説明】
【００１４】
１は光源、２はレンズ群、３は感光体、４は回転多面境、５，５１，５２，５３，５４はＦθレンズ、６は長尺ミラー、７は光走査装置（光学ユニット）、８は筐体、９はＦθレンズサブホルダ、１０はＦθレンズホルダ、１１は回転ヒンジ、１２はアジャストスクリュウ、１３は圧縮コイルバネ、１４はネジ、１５は画像形成装置、１６は帯電器、１７は現像器、１８は転写器、１９は印刷用紙（連続紙）、２０は除電器、２１は清掃機、２２はプレヒータ、２３は加熱ローラ、２４は加圧ローラ、２５はテンションローラ、２６はスタッカである。
【図１】
2009216738.tif 000003
【図２】
2009216738.tif 000004
【図３】
2009216738.tif 000005
【図４】
2009216738.tif 000006